(57)【特許請求の範囲】
【請求項１】
切断可能な絶縁性のプレート本体に複数の端子が貫通して配設され、該プレート本体の前後両方に該端子の電気接触部が突出されて成る端子プレートと、該端子プレートを内部に装着させる絶縁性のカバーとを備えて、基板用コネクタとして機能し、
該カバーのコネクタ嵌合室とは反対側の後部に、相手端子を収容した端子収容ブロックが合体され、該相手端子と、該端子の該コネクタ嵌合室内の電気接触部とは反対側の後方の電気接触部とが接続されて、ハーネス用コネクタとして機能することを特徴とする共用コネクタ。
【請求項２】
前記端子プレートが前記カバー内に係止手段で係止されることを特徴とする請求項１記載の共用コネクタ。
【請求項３】
前記端子収容ブロックが係止手段で前記カバーに係止されることを特徴とする請求項１又は２記載の共用コネクタ。
【請求項４】
前記端子収容ブロックと同じ相手側のコネクタを前記カバーの前部側の前記コネクタ嵌合室に嵌合可能であることを特徴とする請求項１〜３の何れか記載の共用コネクタ。
【請求項５】
前記カバーに、前記係止手段の一部である係止アームと、停止部とが設けられ、前記端子収容ブロックを合体しない状態で、該係止アームと該停止部との間に回路基板が保持されて、基板用コネクタとして機能とすることを特徴とする請求項３又は４記載の共用コネクタ。
【発明の詳細な説明】
【０００１】
【発明の属する技術分野】
本発明は、端子やコネクタハウジング又はコネクタハウジングの一部を共用することで、ワイヤハーネスを相互に接続したり、回路基板を接続したりすることができる共用コネクタに関するものである。
【０００２】
【従来の技術】
図１０は、ワイヤハーネスを相互に接続するための従来のハーネス用コネクタ（ワイヤｔｏワイヤ−コネクタ）の一形態、図１３は、回路基板を接続するための従来の基板用コネクタをそれぞれ示すものである。
【０００３】
図１０のハーネス用コネクタ６０は、図１１のスペーサ６３付きの雌型のコネクタハウジング６２と、図１２の雄型の端子６４とで構成される。スペーサ６３とコネクタハウジング６２とは合成樹脂材を型成形することで形成される。スペーサ６３は図１０の如く端子６４をコネクタハウジング６２に後抜けなく係止するためのものである。
【０００４】
図１１の如く、雌型のコネクタハウジング６２は前半にコネクタ嵌合室６５を有し、コネクタ嵌合室６５の底壁（基壁）に端子挿通孔６６を有し、後半に端子挿通孔６６に続く端子収容室６７を有している。本明細書ではコネクタ嵌合室６５を有するコネクタハウジングを雌型のコネクタハウジング６２と言い、コネクタ嵌合室６５内に嵌合する側のコネクタハウジングを雄型のコネクタハウジングと言う。コネクタハウジング６２は、端子収容室６７に連通して端子挿入方向とは直交する方向にスペーサ挿入孔６８を有している。スペーサ６３は本形態で略Ｌ字状に形成され、端子収容部６９の外壁から外側に突出した状態で仮係止され、端子収容部６９内に押し込んだ状態で本係止される。スペーサ６３の仮係止状態で電線付きの雄型の端子６４（図１０）が端子収容室６７内に挿入され、スペーサ６３を押し込むことで、端子６４が係止される。
【０００５】
図１２の雄型の端子６４は銅合金やアルミ合金といった導電金属板を打ち抜き及び折り曲げることで形成され、前半にタブ状の電気接触部７０、中間に係止用の箱状部７１、後半に電線接続部として前後一対の圧着片７２をそれぞれ有している。
【０００６】
図１０の如くコネクタハウジング６２内に挿着された端子６４のタブ状の電気接触部７０がコネクタ嵌合室６５内に突出する。端子の中間の箱状部７１の後段部がスペーサ６３で係止される。スペーサ６３とは別に端子６４の他の孔部等を端子収容部６９内の可撓性の係止ランス（図示せず）で一次係止することが普通である。
【０００７】
一方、図１３の基板用コネクタ６１は、合成樹脂製の雌型のコネクタハウジング７３と、コネクタハウジング７３の後部を貫通して配置される雄型の端子７５とで構成される。
【０００８】
図１４の如く、コネクタハウジング７３は前半のコネクタ嵌合部７６と後半の端子固定部７７とで構成され、端子固定部７７内に、コネクタ嵌合室７８に連通する端子挿入孔７９が設けられている。図１５の如く、端子７５は前半にタブ状の電気接触部７９、後半に基板接続部８０を一体に有し、中間に左右一対の停止突部８１を有している。端子７５は導電金属板から打ち抜き形成される。
【０００９】
図１３の如くコネクタハウジング７３の後方ないし前方から端子７５が端子挿入孔７９に圧入固定される。停止突部８１は端子７５の抜け出しを防止する。本形態の基板用コネクタ６１は回路基板８２上に垂直に配置され、端子７５の後端部である基板接続部８０が回路基板８２を貫通して回路基板裏側のプリント回路（図示せず）にハンダ付けされる。コネクタ嵌合室７８には相手側の雄型のコネクタ（図示せず）が嵌合接続される。雄型のコネクタ（図示せず）はワイヤハーネスに接続されている。
【００１０】
【発明が解決しようとする課題】
しかしながら、上記従来の各コネクタ６０，６１にあっては、ハーネス用コネクタ６０の端子６４と基板用コネクタ６１の端子７５とが異なるために、二種類の端子６４，７５を用意しなければならず、そのための成形金型を別個に設定するために、多くのコストがかかると共に管理が大変であるという問題があった。
【００１１】
また、ハーネス用及び基板用の雌型のコネクタハウジング６２，７３に対する相手側の雄型のコネクタハウジングを成形するための金型も必要であり、雌型と雄型の各コネクタハウジングの成形金型を合わせると、非常に多くの成形金型が必要となり、金型や管理に多くのコストがかかるという問題があった。
また、ハーネス用コネクタ６０のコネクタハウジング６２と基板用コネクタ６１のコネクタハウジング７３とが相違するために、上記同様に多くのコストがかかり、且つ管理も大変であるという問題があった。
【００１２】
従来においては、一例として、ハーネス用コネクタ６０の端子６４が１種類、基板用コネクタ６１の端子７５が１種類、相手側の雄型のコネクタ（図示せず）の端子が１種類、ハーネス用コネクタ６０のコネクタハウジング６２とスペーサ６３とで１０種類、基板用コネクタ６１のコネクタハウジング７３が５種類（スペーサはない）、相手側の雄型のコネクタ（図示せず）のコネクタハウジングとスペーサとが１０種類で、総計２８種類の成形金型が必要となる。
【００１３】
本発明は、上記した点に鑑み、ハーネス用コネクタと基板用コネクタとで端子及び／又はコネクタハウジングの種類を削減することができ、成形金型の製造に要するコストや管理コスト等を低減させることのできる共用コネクタを提供することを目的とする。
【００１４】
【課題を解決するための手段】
上記目的を達成するために、請求項１記載の共通コネクタは、切断可能な絶縁性のプレート本体に複数の端子が貫通して配設され、該プレート本体の前後両方に該端子の電気接触部が突出されて成る端子プレートと、該端子プレートを内部に装着させる絶縁性のカバーとを備えて、基板用コネクタとして機能し、該カバーのコネクタ嵌合室とは反対側の後部に、相手端子を収容した端子収容ブロックが合体され、該相手端子と、該端子の該コネクタ嵌合室内の電気接触部とは反対側の後方の電気接触部とが接続されて、ハーネス用コネクタとして機能することを特徴とする。
上記構成により、プレート本体を端子の数に応じて適宜長さに切断することで、基板用コネクタとハーネス用コネクタとの両方に共用することができる。そして、基板用コネクタにおいて、端子の一方の電気接触部を回路基板に接続し、他方の電気接触部を相手側コネクタに接続させる。カバーは雌型のコネクタハウジングとして作用する。
【００１６】
また、端子収容ブロックをカバーの後部に合体させることで、端子プレートの端子の一方の電気接触部が端子収容ブロック内の端子に接続され、端子の他方の電気接触部に相手側コネクタを接続可能となる。そして、一種類のカバーを共用して基板用コネクタとハーネス用コネクタとが形成可能となる。
【００１７】
請求項２記載の共用コネクタは、請求項１記載の共用コネクタにおいて、前記端子プレートが前記カバー内に係止手段で係止されることを特徴とする。
上記構成により、端子プレートを係止手段でワンタッチで簡単にカバーに固定させることができる。
【００１８】
請求項３記載の共用コネクタは、請求項１又は２記載の共用コネクタにおいて、前記端子収容ブロックが係止手段で前記カバーに係止されることを特徴とする。
上記構成により、端子収容ブロックを係止手段でワンタッチで簡単にカバーに固定させることができる。
【００１９】
請求項４記載の共用コネクタは、請求項１〜３の何れか記載の共用コネクタにおいて、前記端子収容ブロックと同じ相手側のコネクタを前記カバーの前部側の前記コネクタ嵌合室に嵌合可能であることを特徴とする。
上記構成により、端子収容ブロックと相手側のコネクタとが共用化され、端子収容ブロック本体とその内部に収容される端子とが一種類で済む。相手側のコネクタはカバーの前部側に挿入嵌合され、端子プレートの端子の他方の電気接触部に接続される。
【００２０】
請求項５記載の共用コネクタは、請求項３又は４記載の共用コネクタにおいて、前記カバーに、前記係止手段の一部である係止アームと、停止部とが設けられ、前記端子収容ブロックを合体しない状態で、該係止アームと該停止部との間に回路基板が保持されて、基板用コネクタとして機能とすることを特徴とする。
上記構成により、カバーの係止アームと停止部との間に回路基板を板厚方向に挟持するようにワンタッチで固定することができる。
【００２３】
また、端子収容ブロックをカバーの後部に合体させることで、端子プレートの端子の一方の電気接触部が端子収容ブロック内の端子に接続され、端子の他方の電気接触部に相手側コネクタを接続可能となる。そして、一種類のカバーを共用して基板用コネクタとハーネス用コネクタとが形成可能となる。
【００２５】
【発明の実施の形態】
以下に本発明の実施の形態を図面を用いて詳細に説明する。
図１〜図４は、本発明に係る共用コネクタであるハーネス用コネクタの一実施形態、図１，図５，図６は同じく共用コネクタである基板用コネクタの一実施形態をそれぞれ示すものである。
【００２６】
このハーネス用コネクタ１（図４）と基板用コネクタ２（図６）は図１の端子プレート３を適宜長さに切断（キットカット）して共通使用することを特徴としている。端子プレート３は合成樹脂製の絶縁性の横長矩形状のプレート本体４と、プレート本体４を前後に貫通してプレート本体４内に固定された雄型の端子５とで構成されている。
【００２７】
雄型の端子５は例えば真直なタブ状ないしピン状に形成され、前後にタブ状ないしピン状の電気接触部６，６′を有している。端子５の中間部７はプレート本体４内にインサート成形ないしは圧入等の手段で固定されている。隣接する各端子５の中間部７を連結片（図示せず）で相互にジョイントさせることも可能である。プレート本体４は隣接する各端子５の間で例えば鎖線Ａの如く切断される。その部分に切断を容易化するためのＶ字状に切欠（図示せず）を設けておいてもよい。端子５は等ピッチで並列に配置されている。
【００２８】
図２は、ハーネス用コネクタ１（図４）に使用する合成樹脂製の雌型のコネクタハウジングの一部であるカバー８すなわちコネクタ嵌合部を示すものであり、内側に、前後（コネクタ嵌合離脱方向）に貫通したコネクタ嵌合室９を有している。コネクタ嵌合室９とその周壁１０とでコネクタ嵌合部１１が構成され、コネクタ嵌合部１１の上下の壁部１０ａの後端から左右各一対の係止アーム（係止手段）１２が後方に向けて突設されている。
【００２９】
この係止アーム１２は図３の如くコネクタハウジングの一部である合成樹脂製の端子収容ブロック本体１３を、カバー８であるコネクタ嵌合部に合体係止させるためのものである。このように雌型のコネクタハウジングは別体のカバー８と端子収容ブロック本体１３とで構成される。係止アーム１２は上下方向の可撓性を有し、先端に内向きの係止突起１５を有している。係止突起１５は外端の傾斜状の摺接面１５ａと内端の垂直な係止面１５ｂとを有している。
【００３０】
また、図３の如くカバー８のコネクタ嵌合室９の底部側の上下の内壁１６に、前記端子プレート３（図１）を係止固定させるための係止突起１７が設けられている。各係止突起１７は前後に位相ずれして配置され、前後の係止突起１７の間に端子プレート３が板厚方向に挟まれるように固定される。端子プレート３は所要長さに切断された状態でカバー８内に係止されることは言うまでもない。前側の係止突起１７は前側の傾斜状の摺接面と後側の垂直な係止面を有し、後側の係止突起１７は後側の傾斜状の摺接面と前側の垂直な係止面を有している。係止突起１７の数は適宜設定される。端子プレート３はカバー８の前側ないしは後側からコネクタ嵌合室９の後部（奥側）に挿着され、係止突起１７でガタ付きなく係止される。
【００３１】
図３の端子収容ブロック本体１３はカバー８よりも縦横に幅狭な矩形ブロック状に形成され、前側の壁部１８に端子挿通孔１９、上下の各壁部２０に、係止アーム１５に対する各一対の係合突起（係止手段）２１を有している。係合突起２１に代えて係止手段として係合凹部（図示せず）を設けることも可能である。係合突起２１は前側の傾斜状の摺接面と後側の垂直な係合面とを有している。端子収容ブロック本体１３の縦幅（上下方向幅）と横幅（左右方向幅）はカバー８のコネクタ嵌合室９の後部の縦幅と横幅よりも若干小さく設定される。
【００３２】
図３の如くカバー８の嵌合室９の端子プレート装着部２２のみを端子プレート３の大きさに合わせて幅狭に形成し、端子プレート３よりも前側の嵌合室９ａを相手側の雄側のコネクタ（図示せず）に合わせて幅広に形成し、端子プレート３よりも後側の嵌合室９ｂを端子収容ブロック本体１３に合わせて幅広に形成することが好ましい。端子プレート３の上下幅を大きく設定した場合はカバー８の端子プレート装着部２２は各嵌合室９ａ，９ｂと同じ広さであってもよい。後側の嵌合室９ｂを設けずに、係止アーム１２のみで端子収容ブロック本体１３を保持することも可能である。
【００３３】
図４の如く、端子収容ブロック本体１３の内部には雌型の端子２４が収容され、これにより端子収容ブロック１３′が構成される。端子収容ブロック１３′はカバー８の後方から係止アーム１２を外側に撓ませつつカバー８の後部開口からカバー８内に挿入される。図４の形態で端子収容ブロック本体１３の前端面は端子プレート３の後端面との間に少しの隙間を存しているが、係止突起１７等に対する逃がし用の切欠（図示せず）を端子収容ブロック本体１３の前端部に設けて、端子収容ブロック本体１３の前端面を端子プレート３の後端面に隙間なく当接させてもよい。
【００３４】
端子収容ブロック本体１３の前端部がカバー８の後側の嵌合室９ｂに挿入されつつ、端子収容ブロック本体１３の係合突起２１が係止アーム１２の係止突起１５に摺接して係止アーム１２を外向きに撓ませて、係止アーム１２の復元と同時に係止突起１５が係合突起２１の後側に当接係合する。係合突起２１に代えて係合凹部（図示せず）を用いた場合は、端子収容ブロック本体１３の前端が係止アーム１２を外側に撓ませて挿入され、係止突起１５が係合凹部（図示せず）に係合しつつ係止アーム１２が復元する。この際、端子プレート３の後向きのタブ状ないしピン状の電気接触部６′は端子収容ブロック本体１３の前端の端子挿入孔１９（図３）から端子収容ブロック１３′内に挿入される。
【００３５】
端子収容ブロック本体１３は内側に端子収容室２３を有し、端子収容室２３に臨んで可撓性の端子係止ランス（図示せず）を有している。係止ランスに代えてあるいは係止ランスと共に、従来同様の端子二次係止用のスペーサ（図示せず）を用いることも可能である。端子収容室２３には電線付きの雌型の端子２４が収容される。雌型の端子２４は前半に箱状ないし筒状の電気接触部を有し、後半に電線接続部としての前後各一対の圧着片を有している。雌型の端子２４の電気接触部は内側に弾性接触片（図示せず）を有している。
【００３６】
端子収容ブロック本体１３をカバー８に合体させた後、端子収容ブロック本体１３内に雌型の端子２４を挿入するか、あるいは端子収容ブロック本体１３に雌型の端子２４を挿着した後、端子収容ブロック１３′をカバー８に合体させるかは、任意である。前者の場合はコネクタ１の種類別にまとめて雌型の端子２４を効率良く挿入することができ、後者の場合はコネクタ１の種類に関係なく、複数の同じ端子収容ブロック本体１３に雌型の端子２４を効率良く挿入することができる。
【００３７】
端子収容室２３は一つの端子収容ブロック本体１３内に一以上、多くの場合は複数並列に配置される。端子プレート３（図１）の後方のタブ状ないしピン状の電気接触部６′は雌型の端子２４（図４）の箱状ないし筒状の電気接触部内に挿入されて弾性接触する。端子収容室２３を上下多段に配置した場合は、端子プレート３を積層して対応することが可能である。
【００３８】
また、端子収容ブロック１３′はカバー８のコネクタ嵌合室９に対する相手側の雄型のコネクタとして共用することができる。そのため、相手側の雄型のコネクタを成形する必要がなく、そのための成形金型が不要となる。端子収容ブロック本体１３の係合突起２１（図３）に対する逃がし兼案内用のガイド溝（図示せず）をカバー８の内壁面に設けておくことで、係合突起２１との干渉が防止されると共にコネクタ嵌合がこじり等なくスムーズに行われる。係合突起２１に代えて係合凹部を設けた場合は逃がし用のガイド溝（図示せず）を設ける必要はない。
【００３９】
図１，図５，図６は基板用コネクタの一形態を工程順に示すものである。
すなわち、図１の端子プレートを鎖線Ａの如く所要長さに切断して図５の合成樹脂製のカバー２７（図５）内に挿着することで、図６の基板用コネクタ２が簡単に構成される。
【００４０】
図５のカバー２７はコネクタ嵌合部２８の後方に端子プレート収容部（端子プレート装着部）２９を一体に形成したものであり、前記ハーネス用コネクタ１（図３）のカバー８から係止アーム１２を排除した形態に類似している。カバー２７はコネクタハウジングとして作用する。図５の端子プレート収容部２９は端子プレート３（図１）の大きさに合わせてコネクタ嵌合部２８よりも上下左右とも幅狭に形成されている。
【００４１】
図６の如く、カバー２７のコネクタ嵌合室３０は段部３１を経て後側の幅狭な端子プレート収容室３２に続き、端子プレート収容室３２の上下の内壁面には、端子プレート３に対する係止突起（係止手段）３３が設けられている。係止突起３３は前記したハーネス用コネクタ１のカバー８（図３）におけると同様の形態である。
【００４２】
カバー２７の前側ないし後側から、適宜長さに切断された端子プレート３が端子プレート収容部２９内に挿入係止される。前記ハーネス用コネクタ１においてもそうであるが、カバー２７の後側から端子プレート３を挿入した方が装着作業が容易である。端子プレート３の雄型の端子５の後側の電気接触部６′の先端はカバー２７の後部開口から外部に突出し、端子５の前側の電気接触部６はコネクタ嵌合室３０内に突出して位置する。
【００４３】
カバー２７の端子プレート収容部２９が回路基板（図示せず）上に垂直にないし直角に配置され、端子５の後側の電気接触部６′が回路基板を貫通して回路基板の裏面側のプリント回路等にハンダ接続される。その状態でコネクタ嵌合室３０に相手側の雄型のコネクタ（図示せず）が嵌合され、雄型のコネクタ内に雌型の端子の電気接触部が端子５の前側の電気接触部６に弾性接触する。
【００４４】
図４のハーネス用コネクタ１と図６の基板用コネクタ２とではカバー８，２７の形状は相違するが、端子プレート３を共通して使用することができるので、端子成形用の金型が一種類で済み、金型コストを含めた製造コストや管理コストが低減される。また、図４と図６の各コネクタ１，２に対する相手側の雄型のコネクタとして図４の端子収容ブロック１３を共用できるから、これによっても金型コストを含めた製造コストや管理コストが大幅に低減される。
【００４５】
一例として、ハーネス用コネクタ１と基板用コネクタ２との雄型の端子５が共用で１種類、端子収容ブロック１３の雌型の端子２４が１種類、ハーネス用コネクタ１のカバー８が５種類、基板用コネクタ２のカバー２７が５種類、端子収容ブロック１３とそのスペーサ（図示せず）とが１０種類で、総計２２種類の成形金型で済み、従来の２８種類に較べて６種類の成形金型が削減される。これは各カバー８，２７を５種類とした場合であり、各カバー８，２７を１０種類とした場合には、従来二較べて１１種類の成形金型が削減されることになる。
【００４６】
図７〜図９は、本発明に係る共用コネクタの第二の実施形態を示すものである。
この共用コネクタは、前述の図１の端子プレート３を共用すると共に、基板用コネクタ３６（図８）のコネクタハウジングであるカバー３８と、ハーネス用コネクタ３７のカバー３８とを共用したことを特徴とするものである。
【００４７】
図７に共用の合成樹脂製のカバー３８を示す如く、カバー３８は、上下左右の壁部（周壁）３９で囲まれて矩形筒状に形成され、前半と後半とに連通したコネクタ嵌合部４０，４１を有し、中間に端子プレート装着部４２（図８）を有している。なお、明細書で「上下左右」は説明の便宜上のものであり、コネクタの取付姿勢等によって変更される。「前」はコネクタ嵌合方向、「後」はコネクタ離脱方向と定義される。
【００４８】
前半のコネクタ嵌合部４０はコネクタ嵌合室４３を有し、コネクタ嵌合室４３の縦幅と横幅は後半のコネクタ嵌合部４１の内部空間（室にはなっていない）の縦幅と横幅に等しく設定され、各コネクタ嵌合部４０，４１に同一の端子収容ブロック４４′（図９）すなわち雄型のコネクタを嵌合可能となっている。なお、各コネクタ嵌合部４０，４１に別々の種類の雄型のコネクタ４４′を嵌合させるようにすることも可能である。
【００４９】
図７の如く、カバー３８の上下の壁部の後端に可撓性の係止アーム（係止手段）４５が後向きに一体に突設され、カバー３８の後端の四角部に停止壁又は停止突部（停止部）４６が係止アーム４５よりも短く後向きに一体に突設されている。係止アーム４５は前述の図４の実施形態と同様であり、内向きの係止突起４７を有し、係止突起４７は後側の傾斜状の摺接面４７ａと前側のほぼ垂直な係止面４７ｂとを有している。停止壁４６は縦断面Ｌ字状に直交して形成され、後端に垂直な停止面４６ａを有している。停止面４６ａと係止アーム４５の係止突起４７との間の前後方向の水平距離は図８の如く回路基板４８の板厚よりも若干大きく設定されている。
【００５０】
図７でカバー３８の上下の壁部の内面の中央には、相手側の雄型のコネクタ（図９のコネクタ４４′と同様のもの）の係合突起４９（係止手段）（図９）をスムーズに案内させるためのガイド溝５０が形成されている。上側の壁部及び／又は下側の壁部に、相手側の雄型のコネクタ４４′の係合突起４９に対する係止突起を有する可撓性の係止アーム（図示せず）を一体に形成することも可能である。各停止壁４６の間及び停止壁４６と係止アーム４５との間には矩形状の大きな隙間が形成されている。
【００５１】
図８の如く、カバー３８の中間部において係止アーム４５と停止壁４６との各付根側に続いて壁部３９の内側にコネクタ嵌合直交方向の一対の基壁５１が一体に突出形成され、各基壁５１の対向する壁面に、前後に位相ずれして端子プレート３に対する係止突起（係止手段）５２が設けられて、前記端子プレート装着部４２が構成されている。各係止突起５２に間に端子プレート３の絶縁樹脂製のプレート本体４が板厚方向に挟持固定される。係止突起５２を含む端子プレート装着部４２の構成は前記図３の実施形態と同様である。端子プレート３の前後に雄型の端子５のタブ状の電気接触部６，６′が同じ長さで突出され、一方の電気接触部６はコネクタ嵌合室４３内に位置し、他方の電気接触部６′の先端は停止壁４６の先端と係止アーム４５の先端との間に位置する。
【００５２】
カバー３８に端子プレート３が装着された状態で、回路基板４８が停止壁４６と係止アーム４５の係止突起４７との間に挟持固定される。一例として、回路基板４８にはアーム挿入孔５３と端子挿入孔５４とが設けられており、一対の係止アーム４５を各アーム挿入孔５３に挿入すると同時に、係止アーム４５の爪状の係止突起４７が撓み、係止突起４７が挿入孔５３を通過した時点で復元して回路基板４８を係止し、且つ端子５の電気接触部６′が端子挿入孔５４に貫通される。回路基板４８の裏面が係止突起４５の係止面に当接し、回路基板４８の表面が停止壁４６の先端の停止面４６ａに当接する。これにより、回路基板４８に基板用コネクタ３６が安定に且つ簡単に固定される。従来のようにカバー３６をねじ等で回路基板４８に固定する必要がないから、部品コストや固定工数が低減される。
【００５３】
なお、アーム挿入孔５３を設けず、両係止アーム４５の内幅にほぼ等しい幅の回路基板４８を用いることも可能である。端子５の電気接触部６′の先端は回路基板４８の裏面側の回路導体（図示せず）に接続される。回路導体はプリント回路に限らず、バスバー回路等であってもよい。接続手段はハンダに限らず、バスバー側の雌型の端子（図示せず）との弾性接触であってもよい。
【００５４】
図９は、図８と同じカバー３８を用いてハーネス用コネクタ３７を構成した形態を示すものである。図９の主要部は前記図４の形態とほぼ同様であり、雄型のコネクタである端子収容ブロック４４′をカバー３８の底部に挿入して係止アーム４５でロックさせたものである。
【００５５】
停止壁４６の板厚をアップして、端子収容ブロック４４′の挿入時に停止壁４６をガイド壁として作用させることもでき、その場合には、停止壁４６がカバー３８の底部に位置ずれなく端子収容ブロック４４′を案内し、停止壁４６の内面がコネクタハウジングである端子収容ブロック本体４４の外壁を安定に支持する。
【００５６】
端子収容ブロック本体４４の係合突起４９は係止アーム４５を外側に撓ませてアーム内側に進入し、復帰した係止アーム４５の係止突起４７の係止面に係合突起４９の係合面が当接する。端子収容ブロック本体４４の前端はカバー３８の中間の基壁５１の後面に当接する。これらにより、カバー３８の底部に端子収容ブロック４４がガタ付きなく安定に保持される。
【００５７】
また、端子プレート３の端子５の後側の電気接触部６′は端子収容ブロック本体４４の前端壁の端子挿入孔５５からブロック内の雌型の端子５６の電気接触部内に挿入され、電気接触部の弾性接触片に接触する。雌型の端子５６は端子収容ブロック本体４４の係止ランスや二次係止用のスペーサ（図示せず）で係止される。雌型の端子５６は電線５７に圧着接続されている。端子５６の数は回路形態に応じて適宜設定される。端子収容ブロック４４と同じ雄型のコネクタ４４がカバー３８の前側のコネクタ嵌合室４３に挿入される。これにより、端子収容ブロック４４と雄型のコネクタ４４との共用化が図られる。図７〜図９の実施形態によれば、端子プレート３はもとより、基板用コネクタ３６のカバー３８とハーネス用コネクタ３７のカバー３８との共用化が達成される。
【００５８】
【発明の効果】
以上の如く、請求項１，６記載の発明によれば、プレート本体を端子の数に応じて適宜長さに切断することで、基板用コネクタとハーネス用コネクタとの両方に共用することができるから、端子の成形金型が一種類で済み、端子の成形金型コストが半減され、製造コストや管理コストが低減される。
【００５９】
また、一種類のカバーを共用して基板用コネクタとハーネス用コネクタとを形成することができるから、カバーの成形金型コストが半減され、製造コストや管理コストが大幅に低減される。
【００６０】
また、請求項２記載の発明によれば、端子プレートを係止手段でワンタッチで簡単にカバーに固定させることができるから、構造が簡素化されると共に製造工数が低減される。
【００６１】
また、請求項３記載の発明によれば、端子収容ブロックを係止手段でワンタッチで簡単にカバーに固定させることができるから、構造が簡素化されると共に製造工数が低減される。
【００６２】
また、請求項４，７記載の発明によれば、端子収容ブロックと相手側のコネクタとが共用化されるから、端子収容ブロック本体と端子との成形金型が一種類で済み、それらの成形金型コストが半減され、製造コストや管理コストが低減される。
【００６３】
また、請求項５記載の発明によれば、カバーの係止アームと停止部との間に回路基板をワンタッチで簡単に固定することができるから、組付工数が低減されると共に組付用のボルト等が不要で部品コストが低減される。
【図面の簡単な説明】
【図１】本発明の共用コネクタで使用する端子プレートの切断前の状態を示す斜視図である。
【図２】ハーネス用コネクタ（共用コネクタ）のカバーの一形態を示す斜視図である。
【図３】同じくカバーに端子収容ブロックを合体させる状態を示す一部を破断した分解斜視図である。
【図４】ハーネス用コネクタの一形態を示す破断した状態の斜視図である。
【図５】基板用コネクタ（共用コネクタ）のカバーを示す斜視図である。
【図６】基板用コネクタの一形態を示す破断した状態の斜視図である。
【図７】共用コネクタのカバーの他の形態を示す斜視図である。
【図８】同じくカバーを用いた基板用コネクタの一形態を示す断面図である。
【図９】同じくカバーを用いたハーネス用コネクタの一形態を示す断面図である。
【図１０】従来のハーネス用コネクタの一形態を示す破断した状態の斜視図である。
【図１１】同じく従来のコネクタハウジングを示す破断した状態の斜視図である。
【図１２】同じく従来の端子を示す斜視図である。
【図１３】従来の基板用コネクタの一形態を示す破断した状態の斜視図である。
【図１４】同じく従来のコネクタハウジングを示す破断した状態の斜視図である。
【図１５】同じく従来の端子を示す斜視図である。
【符号の説明】
１，３７        ハーネス用コネクタ
２，３６        基板用コネクタ
３              端子プレート
４              プレート本体
５              雄型の端子（端子）
６，６′        電気接触部
８，２７，３８  カバー
１２，４５      係止アーム（係止手段）
１３′，４４′  端子収容ブロック
２１            係合突起（係止手段）
２４，５６      雌型の端子（端子）
３３            係止突起（係止手段）
４６            停止壁（停止部）
４８            回路基板
【図１】
0003787282.tif 000002
【図２】
0003787282.tif 000003
【図３】
0003787282.tif 000004
【図４】
0003787282.tif 000005
【図５】
0003787282.tif 000006
【図６】
0003787282.tif 000007
【図７】
0003787282.tif 000008
【図８】
0003787282.tif 000009
【図９】
0003787282.tif 000010
【図１０】
0003787282.tif 000011
【図１１】
0003787282.tif 000012
【図１２】
0003787282.tif 000013
【図１３】
0003787282.tif 000014
【図１４】
0003787282.tif 000015
【図１５】
0003787282.tif 000016